(57)【要約】【課題】観測データ伝送用の信号ケーブル保護管と照明用のライトガイド保護管との分岐部において、漏れ電流防止等を採る構造のコストダウンを図ることができる多機能内視鏡を提供すること。【解決手段】信号ケーブル保護管１２とライトガイド保護管１１の両保護管１１，１２の基部が取り付けられたプラスチック製の分岐部支持部材２２を操作部１に外方から固定するためのナット部材２８の周囲を、両保護管１１，１２のうち一方の保護管１１の基部付近が急激に曲がらないように保護するための折れ止め部材１３に設けられている電気絶縁性のゴム１３ｂによって囲んだ。【選択図】      図１
2005124951.tif 000002
【特許請求の範囲】
【請求項１】
照明用ライトガイドによって照明された生体の通常の光学観察像を得るための光学観察部材と上記生体の通常の光学観察像以外の観測データを得るための付加的観測部材とが挿入部の先端に併設され、上記付加的観測部材によって得られた観測データを伝送するための観測データ信号ケーブルと上記照明用ライトガイドが挿通されたライトガイドケーブルとが、上記挿入部の基端に連結された操作部から延出する部分では一つの共通孔に通され、その外側に隣接する位置で分岐されて可撓性の信号ケーブル保護管とライトガイド保護管とに分かれて挿通配置された多機能内視鏡において、
上記両保護管の基部が取り付けられた電気絶縁性の分岐部支持部材を上記操作部に外方から固定するための金属製のナット部材の周囲を、上記両保護管のうち一方の保護管の基部付近が急激に曲がらないように保護するための折れ止め部材に設けられている電気絶縁性のゴムによって囲んだことを特徴とする多機能内視鏡。
【請求項２】
上記折れ止め部材の基部には、上記ナット部材の外周部に形成された雄ネジと螺合する金属製の取付筒が配置されていて、その取付筒の外周面に上記ゴムがライニングされている請求項１記載の多機能内視鏡。
【発明の詳細な説明】
【技術分野】
【０００１】
この発明は、生体の通常の光学観察像を得るための光学観察部材とそのような生体の通常の光学観察像以外の観測データを得るための付加的観測部材とが挿入部の先端に併設された多機能内視鏡に関する。
【背景技術】
【０００２】
多機能内視鏡としては、超音波内視鏡や共焦点内視鏡等があり、超音波内視鏡の場合には、挿入部の先端に超音波断層像を得るための超音波プローブが通常の光学観察部材と併設され、共焦点内視鏡の場合には、レーザビームによる粘膜細胞の顕微鏡的観察を行うための共焦点装置が通常の光学観察部材と併設されている。
【０００３】
そのような多機能内視鏡においては、超音波プローブや共焦点装置等のような付加的観測部材によって得られた観測データを伝送するための観測データ信号ケーブルと通常の光学観察用の照明用ライトガイドとが、挿入部の基端に連結された操作部から延出する部分では一つの共通孔に通され、その外側に隣接する位置で分岐されて互いに独立した二本の可撓性の保護管内に分かれて挿通配置されている（例えば、特許文献１）。
【特許文献１】特開２００２−１９１６０３
【発明の開示】
【発明が解決しようとする課題】
【０００４】
特許文献１に記載された発明においては、超音波信号ケーブルが通された信号ケーブル保護管とライトガイドが通されたライトガイド保護管の、両保護管の基部が取り付けられた分岐部支持部材が、ナット部材によって操作部に外方から押し付け固定されている。
【０００５】
そして、分岐部支持部材は電気絶縁性のプラスチック等により形成することができるが、ナット部材は金属製にならざるを得ないので、漏れ電流防止等の電気安全性の上から電気絶縁性のゴムがナット部材の外周面にライニングされており、本来は低コストであるはずのナット部材が特殊部品となって大幅なコスト高になっていた。
【０００６】
そこで本発明は、観測データ伝送用の信号ケーブル保護管と照明用のライトガイド保護管との分岐部において、漏れ電流防止等を採る構造のコストダウンを図ることができる多機能内視鏡を提供することを目的とする。
【課題を解決するための手段】
【０００７】
上記の目的を達成するため、本発明の多機能内視鏡は、照明用ライトガイドによって照明された生体の通常の光学観察像を得るための光学観察部材と生体の通常の光学観察像以外の観測データを得るための付加的観測部材とが挿入部の先端に併設され、付加的観測部材によって得られた観測データを伝送するための観測データ信号ケーブルと照明用ライトガイドが挿通されたライトガイドケーブルとが、挿入部の基端に連結された操作部から延出する部分では一つの共通孔に通され、その外側に隣接する位置で分岐されて可撓性の信号ケーブル保護管とライトガイド保護管とに分かれて挿通配置された多機能内視鏡において、両保護管の基部が取り付けられた電気絶縁性の分岐部支持部材を操作部に外方から固定するための金属製のナット部材の周囲を、両保護管のうち一方の保護管の基部付近が急激に曲がらないように保護するための折れ止め部材に設けられている電気絶縁性のゴムによって囲んだものである。
【０００８】
なお、折れ止め部材の基部に、ナット部材の外周部に形成された雄ネジと螺合する金属製の取付筒が配置されていて、その取付筒の外周面にゴムがライニングされていてもよい。
【発明の効果】
【０００９】
本発明によれば、信号ケーブル保護管とライトガイド保護管の両保護管の基部が取り付けられた電気絶縁性の分岐部支持部材を操作部に外方から固定するための金属製のナット部材の周囲を、折れ止め部材に設けられている電気絶縁性のゴムで囲んだことにより、ナット部材としてゴムライニングされた特殊部品を用いる必要がなくなり、漏れ電流防止等を採る構造のコストダウンを効果的に図ることができる。
【発明を実施するための最良の形態】
【００１０】
信号ケーブル保護管とライトガイド保護管の両保護管の基部が取り付けられた電気絶縁性の分岐部支持部材を操作部に外方から固定するための金属製のナット部材の周囲が、両保護管のうち一方の保護管の基部付近が急激に曲がらないように保護するための折れ止め部材に設けられている電気絶縁性のゴムによって囲まれている。
【実施例】
【００１１】
図面を参照して本発明の実施例を説明する。
図２は超音波内視鏡の側面図であり、操作部１の下端に連結された挿入部２の先端に、生体の通常の光学観察像を得るための対物光学系等（光学観察部材）が内蔵された光学観察対物部３と、生体の超音波断層像を得るための超音波プローブ等（付加的観測部材）が配置された超音波走査部４とが並んで設けられている。  
【００１２】
光学観察対物部３内の対物光学系による被写体の結像位置には固体撮像素子が配置されていて、固体撮像素子から撮像信号が送出されるようになっている。ただし、イメージガイドファイババンドルによって観察像を伝達してもよい。
【００１３】
操作部１の上半部の後面からは、平面図である図３にも示されるように、可撓性のライトガイド保護管１１と超音波信号ケーブル保護管１２とが延出しており、ライトガイド保護管１１内には、通常の光学観察を行うための照明用のライトガイドファイババンドル６が挿通配置され、超音波信号ケーブル保護管１２内には、超音波プローブによって得られた断層像データ等を伝送するための超音波信号ケーブル８が挿通配置されている。
【００１４】
ライトガイドファイババンドル６と超音波信号ケーブル８とは、操作部１から延出する部分では後述する一つの共通通過孔２１ａに通されて、そのすぐ外側に隣接して設けられた分岐部２０において分岐され、互いに独立して設けられたライトガイド保護管１１と超音波信号ケーブル保護管１２とに分かれて挿通配置されている。１３と１４は、ライトガイド保護管１１の基部付近と超音波信号ケーブル保護管１２の基部付近が各々急激に曲がるのを緩和するための折れ止め部材である。
【００１５】
超音波信号ケーブル保護管１２の先端には、図示されていない超音波信号制御装置に接続される超音波信号コネクタ１９が連結され、ライトガイド保護管１１の先端には、図示されていない光源装置兼ビデオプロセッサに接続されるライトガイドコネクタ１５が連結されている。１６はライトガイド接続管、１７は撮像信号コネクタ、１８は送気送水口金であり、ライトガイドコネクタ１５の裏面側には吸引口金等が配置されている。
【００１６】
図１は分岐部２０の周辺を拡大して示しており、２３は、超音波信号ケーブル８が分岐部２０において露出するのを防止するための分岐部カバー、２４は、分岐部カバー２３を装着するために必要な空間部分を外装するための空間カバーであり、ゴム環２５によって締め付け固定されている。なお、分岐部カバー２３と空間カバー２４は電気絶縁性のプラスチック材によって形成されている。
【００１７】
分岐部２０においては、一本の筒状の共通支持筒２１が操作部１から後方に向けて突設されており、共通支持筒２１の内部空間が、ライトガイドファイババンドル６と超音波信号ケーブル８を通す共通通過孔２１ａになっている。
【００１８】
共通支持筒２１の共通通過孔２１ａ内には、照明用のライトガイドファイババンドル６、内視鏡観察画像の撮像信号ケーブル７、超音波信号ケーブル８の他、図示されていない送気、送水、吸引用のチューブ等が一束になって挿通されている。
【００１９】
共通支持筒２１の突端部分には、ライトガイド保護管１１の基端口金１１ａが例えば三本の小ネジ２７によって固定され、その基端口金１１ａが電気絶縁性のプラスチック材からなる分岐部支持部材２２に貫通形成された孔に通されている。
【００２０】
そして、金属製のナット部材２８が、分岐部支持部材２２の外方に突出する基端口金１１ａの外周に形成された雄ネジ部に螺合して分岐部支持部材２２を外方から押圧固定し、基端口金１１ａに対するナット部材２８の螺合が緩むのを防止するための固定ネジ２９が、ナット部材２８に側方からねじ込まれている。
【００２１】
分岐部支持部材２２には、ライトガイド保護管１１の基端口金１１ａと平行に並んで、超音波信号ケーブル保護管１２の基端口金１２ａと折れ止め部材１４とが連結される連結口金１２ｂが固定されている。
【００２２】
そして、超音波信号ケーブル８は、共通支持筒２１の側壁に形成された分岐孔２１ｂから共通支持筒２１外に出されて超音波信号ケーブル保護管１２内に導かれ、ライトガイドファイババンドル６と撮像信号ケーブル７は、チューブ類等と共に共通支持筒２１の共通通過孔２１ａ内を真っ直ぐに通過してライトガイド保護管１１内に導かれている。
【００２３】
ライトガイド保護管１１の基部付近が急激に曲がるのを防止するための折れ止め部材１３は、全体としては図３に示されるように弾力性と電気絶縁性のあるゴムにより先細りのテーパ筒状に形成されている。
【００２４】
そしてその折れ止め部材１３のゴムは、図１に示されるように、ナット部材２８の外周面に形成されている雄ネジと螺合する金属製の取付筒１３ａの外周面を覆う状態に、取付筒１３ａに対して一体にライニングされている。１３ｂがそのゴムライニング部である。
【００２５】
その結果、ナット部材２８が配置されている部分の外面は折れ止め部材１３を構成する電気絶縁性のゴムによって囲まれており、ナット部材２８として、ゴムライニングされた特殊部品を用いることなく、漏れ電流防止構造をとることができる。
【００２６】
なお、本発明は上記実施例に限定されるものではなく、例えば超音波信号ケーブル保護管１２側の折れ止め部材１４のゴムでナット部材２８部分を囲んでも差し支えなく、また本発明を、レーザビームによる粘膜細胞の顕微鏡的観察を行うための共焦点装置が通常の光学観察部材に併設された共焦点内視鏡に適用してもよい。
【図面の簡単な説明】
【００２７】
【図１】本発明の実施例の超音波内視鏡の分岐部の平面断面図である。
【図２】本発明の実施例の超音波内視鏡の側面図である。
【図３】本発明の実施例の超音波内視鏡の平面図である。
【符号の説明】
【００２８】
１  操作部
２  挿入部
３  光学観察対物部
４  超音波走査部
６  ライトガイドファイババンドル
８  超音波信号ケーブル
１１  ライトガイド保護管
１１ａ  基端口金
１２  超音波信号ケーブル保護管
１３  折れ止め部材
１３ａ  取付筒
１３ｂ  ゴムライニング部
２０  分岐部
２２  分岐部支持部材
２８  ナット部材
【図１】
2005124951.tif 000003
【図２】
2005124951.tif 000004
【図３】
2005124951.tif 000005